(57)【特許請求の範囲】
【請求項１】
プロセッサ及び表示部を備えたコンピュータ装置にそれぞれ接続され、それぞれ１つ以上のトラックを有する複数のオーディオ処理装置を備えた記録／再生システムにおいて該複数のオーディオ処理装置の１つ以上のトラックのそれぞれをグラフィカルユーザインタフェースを用いて中央から制御するトラック制御方法において、
上記複数のオーディオ処理装置の１つのトラックにそれぞれ対応し、該トラックを制御する複数の制御ボックスを有する第１の表示領域を、上記プロセッサが上記表示部に表示する第１の表示領域表示ステップと、
上記複数のオーディオ処理装置の全てのトラックを略同時に制御する中央制御部を有する第２の表示領域を、上記プロセッサが上記表示部に表示する第２の表示領域表示ステップと、
上記複数のオーディオ処理装置のうちの１つのオーディオ処理装置の少なくとも１つの記録トラックをそれぞれ制御する複数の記録制御ボックスを有する第３の表示領域を、上記プロセッサが上記表示部に、上記第１及び第２の表示領域と同時に表示する第３の表示領域表示ステップとを有し、
上記第１の表示領域は、上記記録／再生システムにはロードされているが、上記グラフィカルユーザインタフェースを表示する画面上では見ることができない複数の制御ボックスにアクセスするためのスクロールバーを更に有することを特徴とするトラック制御方法。
【請求項２】
上記複数の制御ボックスの１つを選択するステップと、
上記選択された制御ボックスに対応した制御コマンドを、上記コンピュータ装置から該対応するトラックを有するオーディオ処理装置に伝送するステップと、
上記オーディオ処理装置が、上記制御コマンドに割り当てられた機能を実行するステップとを更に有する請求項１に記載のトラック制御方法。
【請求項３】
更に、特定のトラックの記録ボタンを選択するステップと、
上記コンピュータ装置から記録コマンドを、上記特定のトラックを有するオーディオ処理装置に伝送するステップと、
上記オーディオ処理装置によって、上記特定のトラックにオーディオサウンドを記録するステップとを有することを特徴とする請求項１に記載のトラック制御方法。
【請求項４】
上記中央制御部を選択するステップと、
上記コンピュータ装置から、上記中央制御部に対応する制御コマンドを、上記複数のオーディオ処理装置の全部に伝送するステップと、
上記各オーディオ処理装置が、上記制御コマンドに割り当てられた機能を実行するステップとを更に有する請求項１に記載のトラック制御方法。
【請求項５】
上記第２の表示領域は、上記オーディオ処理装置の全てのトラックを制御する全体に対する再生コマンドを有することを特徴とする請求項１に記載のトラック制御方法。
【請求項６】
上記全体に対する再生コマンドを選択するステップと、
上記全体に対する再生コマンドを、上記コンピュータ装置から上記複数のオーディオ処理装置に伝送するステップと、
上記各オーディオ処理装置によって、全てのトラックからオーディオサウンドをそれぞれ再生するステップとを更に有する請求項５に記載のトラック制御方法。
【請求項７】
上記第２の表示領域は、上記オーディオ処理装置の１つ以上のトラックを制御する全体に対する停止コマンドを有することを特徴とする請求項１に記載のトラック制御方法。
【請求項８】
記録／再生システムの、１つ以上のトラックと１つ以上の入力／出力チャンネルをそれぞれ有する複数のオーディオ処理装置を制御する制御装置において、
プロセッサと、
上記プロセッサによって表示が行われる表示部とを備え、
上記表示部は、上記複数のオーディオ処理装置の１つのトラックにそれぞれ対応し、該トラックを制御する複数の制御ボックスを有する第１の表示領域と、上記複数のオーディオ処理装置の１つ以上の入力／出力チャンネルの全てを略同時に制御する中央制御部を有する第２の表示領域と、上記第１及び第２の表示領域と同時に表示されて上記記録／再生システムのグラフィカルユーザインタフェースを形成する、上記複数のオーディオ処理装置の少なくとも１つに対応した複数の記録トラックの１つ以上をそれぞれ制御する複数の記録制御ボックスを有する第３の表示領域と有し、
上記第１の表示領域は、上記記録／再生システムにはロードされているが、上記グラフィカルユーザインタフェースを表示する画面上では見ることができない複数の制御ボックスにアクセスするためのスクロールバーを更に有することを特徴とする制御装置。
【請求項９】
上記複数のオーディオ処理装置の入力／出力チャンネルのうちの１つに対応した１つの制御ボックスを選択する選択デバイスを更に備える請求項８に記載の制御装置。
【請求項１０】
上記選択デバイスは、キーボードであることを特徴とする請求項９に記載の制御装置。
【請求項１１】
上記選択デバイスは、マウスであることを特徴とする請求項９に記載の制御装置。
【請求項１２】
上記選択デバイスによって選択された上記１つの制御ボックスに対応した制御コマンドを、上記入力／出力チャンネルのうちの１つを有するオーディオ処理装置に伝送する入力／出力デバイスを更に備える請求項９に記載の制御装置。
【請求項１３】
上記オーディオ処理装置は、上記制御コマンドを受信して、上記制御コマンドに割り当てられた機能を実行することを特徴とする請求項１２に記載の制御装置。
【請求項１４】
上記中央制御部を選択する選択デバイスを更に備える請求項８に記載の制御装置。
【請求項１５】
上記入力／出力デバイスは、上記中央制御部に対応した全体に対する制御コマンドを、上記複数のオーディオ処理装置に伝送することを特徴とする請求項１４に記載の制御装置。
【請求項１６】
上記複数のオーディオ処理装置は、上記全体に対する制御コマンドを受信し、全ての入力／出力チャンネルに関する制御コマンドに割り当てられた機能を実行することを特徴とする請求項１５に記載の制御装置。
【発明の詳細な説明】
【０００１】
【発明の属する技術分野】
本発明は、グラフィカルユーザインタフェース（以下、ＧＵＩという。）を用いたトラック制御方法及び制御装置に関し、特に、ＧＵＩを用いて、記録／再生システムにおける１つ以上のオーディオ処理装置の１つ以上のトラックを中央から、及び／又は同時に制御するものである。
【０００２】
【従来の技術】
典型的な映画フィルムの記録／再生システムは、複数のオーディオ処理装置を備えており、これらのオーディオ処理装置は、フィルムに記録される多数のオーディオサウンドを再生及び／又は記録するのに必要なオーディオトラックを処理する。各オーディオ処理装置は、限られた数のオーディオトラックのみを処理するため、通常は、１つ以上のオーディオ処理装置が必要とされる。また、各オーディオ処理装置は、操作パネルを備え、その操作パネルには、再生、記録、ミュート、音量の調整等の様々な制御ボタンがオーディオトラック毎に設けられている。ところが、このようなオーディオ処理装置には問題があり、例えばあるオーディオ処理装置内のあるオーディオトラックを再生するコマンドを実行する場合、ユーザは、物理的にその特定のオーディオ処理装置の所まで移動しなければならない。このようなオーディオ処理装置が複数あり、特にオーディオ処理装置が点在しているときには、更に問題となる。
【０００３】
【発明が解決しようとする課題】
本発明は、上述した実情に鑑みてなされたものであり、本発明の目的は、ＧＵＩを用いて、記録／再生システムにおける１つ以上のオーディオ処理装置の１つ以上のトラックを中央から、及び／又は同時に制御するトラック制御方法及び制御装置を提供することである。
【０００４】
【課題を解決するための手段】
本発明に係るＧＵＩを用いたトラック制御方法は、複数のオーディオ処理装置の１つ以上のトラックを中央から制御する。この複数のオーディオ処理装置は、プロセッサと表示部を備えるコンピュータに接続されている。このＧＵＩを用いたトラック制御方法は、複数のオーディオ処理装置の１つのトラックにそれぞれ対応し、トラックを制御する複数の制御ボックスを有する第１の表示領域を、プロセッサによって表示部に表示するステップと、オーディオ処理装置の全てのトラックを略同時に制御する中央制御機構を有する第２の表示領域を、プロセッサによって表示部に表示するステップと、複数のオーディオ処理装置のうちの１つのオーディオ処理装置の少なくとも１つの記録トラックをそれぞれ制御する複数の記録制御ボックスを有する第３の表示領域を、プロセッサによって表示部に、第１及び第２の表示領域と同時に表示するステップとを有する。更に、第１の表示領域は、記録／再生システムにはロードされているが、グラフィカルユーザインタフェースを表示する画面上では見ることができない複数の制御ボックスにアクセスするためのスクロールバーを有する。
【０００５】
【発明の実施の形態】
以下、本発明に係るＧＵＩを用いたトラック制御方法及び制御装置について、図面を参照しながら説明する。なお、この実施の形態において、当業者とって周知の技術については、説明を省略する。
【０００６】
図１は、本発明を適用したオーディオ記録／再生システムの具体的な構成を示すブロック図である。
【０００７】
このオーディオ記録／再生システムは、図１に示すように、Ｎ個の組込ボックス（embedded box、以下、ＥＢＸ＃１〜ＥＢＸ＃Ｎともいう。）１１〜１Ｎと、遠隔のクライアントコンピュータ（remote client computer、以下、ＲＣＣともいう。）２と、ネットワークチャンネル３と、オーディオ技術学会（Audio Engineering Society）標準に準拠した入力／出力チャンネル（以下、ＡＥＳＩ／Ｏチャンネルという。）４とを備える。ここで、Ｎは正の整数である。
【０００８】
各ＥＢＸ１１〜１Ｎは、大容量記憶装置を有するオーディオデータ処理装置からなる。具体的には、各ＥＢＸ１１〜１Ｎは、例えばパーソナルコンピュータ（personal computer、以下、ＰＣという。）と、１つ以上のデジタルシグナルプロセッサ（digital signal processor、以下、ＤＳＰという。）とを備える。オーディオ信号をサンプリングして得られるデータ（以下、オーディオサンプルデータという。）は、複数のダイナミックランダムアクセスメモリ（dynamic random access memory、以下、ＤＲＡＭという。）バンクに記憶される。これらのＤＲＡＭバンクは、ＰＣの後述するスモールコンピュータシステムインタフェース（small computer system interface、以下、ＳＣＳＩという。）−２コントローラとＤＳＰの両方からアクセスできるようになっている。各ＥＢＸ１１〜１Ｎは、Ｘ（正の整数）個のＡＥＳＩ／Ｏチャンネルを制御する。例えば、各ＥＢＸ１１〜１Ｎは、１６個のＡＥＳＩ／Ｏチャンネルを制御する。同期クロック信号は、ＥＢＸ１１〜１Ｎの全てをリアルタイムで同期して動作させるためのマスタタイミング信号である。ＥＢＸ１１〜１Ｎの具体的な構成については、後述する。
【０００９】
ＲＣＣ２は、グラフィカルユーザインタフェース（graphical user interface、以下、ＧＵＩという。）を有し、ユーザは、このＧＵＩを用いてコマンドと制御情報をネットワークチャンネル３を介してＥＢＸ１１〜１Ｎに送信する。ＲＣＣ２は、ＥＢＸ１１〜１Ｎ（以下、これらを総称してＥＢＸ１ともいう。）との間の通信モードとして、２つの通信モード、すなわち個別アドレッシングモードと、同報アドレッシングモードとを有する。個別アドレッシングモードにおいて、ＲＣＣ２は、コマンド及び制御情報を特定のＥＢＸ１に送信する。個別アドレスの宛先は、コマンド及び制御情報の一部としてエンコードされる。一方、同報アドレッシングモードにおいては、ＲＣＣ２は、この装置に接続されている全てのＥＢＸ１に対して、コマンドを送信する。これにより、ＲＣＣ２は、ＥＢＸ１の全てのＡＥＳＩ／Ｏチャンネル（トラックともいう。）を中央から、同時に制御することができる。ＲＣＣ２は、例えば、ＧＵＩを記憶するメモリと、ＧＵＩを実行するプロセッサと、ＧＵＩを表示する表示器と、ネットワークチャンネル３を介してコマンドを送信及び／又は受信するＩ／Ｏ回路とを備えるコンピュータ（例えば、デスクトップ、ラップトップ、パームトップ等）からなる。
【００１０】
ここで、ＥＢＸ１について詳細に説明する。図２は、ＥＢＸ１の具体的な構成を示すブロック図である。ＥＢＸ１は、図２に示すように、１つ以上のプロセッサ１１１〜１１Ｍ（Ｍは正の整数）と、例えばＤＲＡＭ、スタティクランダムアクセスメモリ（static random access memory、以下、ＳＲＡＭという。）等からなるメインメモリ１４とを備える。プロセッサ１１１〜１１Ｍとメインメモリ１４は、チップセット１３を介して接続されている。また、このチップセット１３は、ホストバス１２と接続されており、ホストバス１２とペリフェラルバス１５間のインタフェースとして動作する。
【００１１】
プロセッサ１１１〜１１Ｍは、何れの種類のマイクロプロセッサで構成することができ、例えばカリフォルニア州サンタクララのインテル社（Intel Corporation）製のペンティアム（Pentium、商標）又はペンティアムプロ（Pentium Pro、商標）からなる。
【００１２】
チップセット１３は、例えばＤＲＡＭからなるキャッシュメモリのコントローラ（cache DRAM controller、以下、ＣＤＣという。）と、ペリフェラルバス１５を制御するコントローラと、データパス装置（data path unit、以下、ＤＰＵという。）と、ペリフェラルコンポーネントインターコネクト（peripheral component interconnect、以下、ＰＣＩという。）ブリッジとを備える。すなわち、ペリフェラルバス１５は、ＰＣＩバスからなり（以下、ＰＣＩバス１５ともいう。）、ＰＣＩブリッジは、トランザクションを、ホストバス１２からＰＣＩバス１５に、及びＰＣＩバス１５からホストバス１２に変換する。
【００１３】
ホストバス１２は、接続された多数のプロセッサ１１１〜１１Ｍへのトランザクションをサポートするバスである。ホストバス１２は、パラレル動作及び複数のプロセッサをサポートするように、パラレルバス又はマルチプロセッサバスとして用いられる。また、ホストバス１２は、処理効率を高めるために、パイプライン形式のバスとしてもよい。なお、本発明は、ホストバス１２の構成によって限定されるものではない。また、本発明は、例えばホストバス１２に接続されるプロセッサが１つであっても、適用することができる。
【００１４】
ペリフェラルバス１５は、プロセッサ１１１〜１１Ｍ又はメインメモリ１４と、複数の周辺装置２２１〜２２Ｐ（Ｐは正の整数）との間の通信経路を形成している。ディスクコントローラ２２１は、例えば光ディスク記録／再生装置２３、ハードディスク駆動装置２４等の複数の大容量記憶装置とのインタフェースを行うＳＣＳＩ−２コントローラからなる（以下、ＳＣＳＩ−２コントローラ２２１ともいう。）。ハードディスク駆動装置２４は、１つ以上のＩ／Ｏチャンネル４上に再生するオーディオサウンドを格納し、すなわち１つ以上のＩ／Ｏチャンネル４に入力されるオーディオサウンドを記憶している。更に、外部装置２２２は、図１のネットワークチャンネル３と接続するためのネットワークインタフェースカードである。他の外部装置として、データ入力インタフェース回路、ポインティングデバイスコントローラ、グラフィックコントローラのような入出力装置を含んでもよい。ペリフェラルバス１５は、ＰＣＩバスや、他の種類のバスでもよい。
【００１５】
ＥＢＸ１は更に、信号処理副装置（signal processing subsystem、以下、ＳＰＳという。）１９を備えており、これは、１つ以上のデジタルシグナルプロセッサ（digital signal processor、以下、ＤＳＰという。）と、複数のメモリバンクからなるメモリ装置と、ＰＣＩバスインタフェース回路とを備える。ＳＰＳ１９には、シリアルＩ／Ｏ通信装置２０を介してＡＥＳＩ／Ｏチャンネルインタフェース２１が接続されている。ＳＰＳ１９は、多数のメモリバンクのオーディオデータにアクセスしたり、オーディオデータをデジタルフィルタにかけたり、他の信号処理副装置と接続するなどの専門的な信号処理を行っている。ＳＰＳ１９は更に、効率的なメモリアクセススイッチ機構を有している。
【００１６】
拡張バス１７は、ペリフェラルバス１５と複数の周辺装置１８１〜１８Ｌ（Ｌは正の整数）間の通信経路を形成している。拡張バス１７は、例えばインダストリアルスタンダードアーキテクチャ（Industry Standard Architecture、以下、ＩＳＡという。）バス、エクステンドインダストリアルスタンダードアーキテクチャ（Extended Industry Standard Architecture、以下、ＥＩＳＡという。）バス等からなる。なお、ＥＢＸ１は、必ずしも上述したような構造でなくても本発明を実施することができる。
【００１７】
図３は、本発明に係るトラック制御方法を実現するソフトウェアの具体的なアーキテクチャを示すブロック図である。ＲＣＣ２は、ネットワークチャンネル３を介して、１つ以上のＥＢＸ１と接続されている。ＲＣＣ２は、例えばウィンドウズＮＴ（Windows NT、商標）、ウィンドウズ９５（Windows 95、商標）、マッキントッシュ（Macintosh、商標）等のプラットフォーム（オペレーティングシステム）上で動作する。ＲＣＣ２は、図３に示すように、複数の記録／再生アプリケーション３１（例えば、後述する図４のＧＵＩ）と、これに接続されているダイナミックリンクライブラリ（以下、ＤＬＬという。）３２とを有する。ＤＬＬ３２は、リンキングにおいてではなく、ロード時や動作時においてプログラムに連結される実行可能なコード及びデータを含むファイルである。このＤＬＬ３２中のコード及びデータは、複数の記録／再生アプリケーション（これらのアプリケーションは同じＣＰＵ上で動作していることとする。）によって同時に共有されることも可能である。ＲＣＣ２は、遠隔手続呼出（remote procedure call、以下、ＲＰＣという。）３３を用い、ネットワークチャンネル３を介して、１つ以上のＥＢＸ１との間でコマンドを送受する。コマンドは、特定のＥＢＸ１に送信されるか、又は全てのＥＢＸ１に同報送信される。
【００１８】
各ＥＢＸ１は、ＲＰＣ４１と、ＤＬＬ４２と、デバイスドライバ４３と、ＳＣＳＩドライバ４４とを有する。デバイスドライバ４３は、ＤＬＬ４２と、バス（例えば、図２のＰＣＩバス１５）を介したＤＳＰソフトウェア４５とのインタフェースとして動作する。ＤＬＬ４２及びＳＣＳＩドライバ４４は、ホストコンピュータ（例えば、図２のプロセッサ１１）によって制御される。ＤＬＬ４２は、ＲＣＣ２から、例えば全体に対する再生コマンド、特定のトラックに対する記録コマンド等の遠隔コマンドを受信し、そのコマンドを処理して、デバイスドライバ４３を介し、そのコマンドを実行するためにＤＳＰソフトウェア４５に供給する。
【００１９】
図４は、本発明に係るトラック制御方法に基づいて、ＲＣＣ２の表示画面に表示されたＧＵＩの具体例を示す図である。図４に示すように、ＧＵＩ１００は、第１の表示領域１１０と、第２の表示領域１３０とを有する。第１の表示領域１１０には、ＲＣＣ２に接続されている（又はロードされている）１つ以上のＥＢＸ１のＡＥＳＩ／Ｏチャンネル（すなわち、トラック）に対応する１つ以上の制御ボックス１１１が表示される。各制御ボックス１１１は、（１）制御されているＥＢＸ１のトラック（すなわち、ＡＥＳＩ／Ｏチャンネル）を特定するマシンＩＤボックス１１２と、（２）制御されているトラック（例えば、対話トラック）のトラック名を特定するトラック名ボックス１１３と、（３）制御されているトラックに対する「保護（s:safety）」ボタン１１４、「記録（R:Record）」ボタン１１５、「入力モニタ（I:Input Monitor）」ボタン１１６、「ソロ（S:Solo）」ボタン１１７、「ミュート（M:Mute）」ボタン１１８（以下、これらをｓＲＩＳＭボタンという。）と、（４）トラックの音量を制御するゲインボックス１１９と、（５）トラックに時間的なオフセットを加えるオフセットボタン１２０とを有する。そして、例えばユーザが、ＲＣＣ２において、キーボード又はマウスを用い、ｓＲＩＳＭボタン（アイコン）のうちの１つ以上を「クリック」、すなわち選択して、ＥＢＸ１の１つのトラックに対してゲインを変えたり、時間的なオフセットを与えたりすると、その選択されたコマンドは、ネットワークチャンネル３を介してＥＢＸ１に送信され、ＥＢＸ１においてそのトラックに対して、選択されたコマンドが実行される。例えば、ＲＣＣ２にロードされた全てのトラックが再生されているときに、１つ以上のトラックに対する「ソロ」ボタン１１７がクリックされて選択されると、この「ソロ」ボタン１１７がクリックされて選択された１つ以上のトラック以外の他の全てのロードされたトラックは、ミュート状態とされる。
【００２０】
第１の表示領域１１０には、制御ボックス１１１を当該第１の表示領域１１０内で左右又は上下に移動させるスクロールバー１２１が表示される。ＲＣＣ２にロードされている多数（例えば、３００個以上）のトラックの全てを制御ボックス１１１中に同時に表示することができないが、ユーザは、このスクロールバー１２１を用いて、全てのトラックをアクセスすることができる。第１の表示領域１１０には、更に、１つ以上の、例えば８つの選択ボタン１２２が表示される。１つの選択ボタン１２２に対して１つ以上のトラックの機能を割り付けることができ、ある１つの選択ボタン１２２が選択されると、それに割り付けられている１つ以上のトラックの機能が実行される。例えば、１つの選択ボタン１２２に、トラックの再生が開始した後における複数のトラックに対する「ミュート」機能を割り付けることができる。オフセットタイムボックス１２３は、選択されているトラックのオフセット時間を表示するためのものである。調節ボタン１２４は、その選択されたトラックのオフセット時間を調節するためのものである。コミットボタン１２５は、オフセット時間をゼロにリセットするためのものである。
【００２１】
本発明を適用したこのオーディオ記録／再生システムは、１つのＥＢＸ１の全て（例えば１６個）のトラックを、１つの制御ボックス１１１で制御する機能を有している。すなわち、ＧＵＩ１００からメニュー項目を選択することによって、１つのＥＢＸ１の全てのトラックに対応する全ての制御ボックスが、単一の制御ボックス１１１に統合される。そして、この単一の制御ボックス１１１は、選択されたＥＢＸ１の全てのトラックを制御する。すなわち、例えば記録ボタン１１５が選択されると、あるＥＢＸ１の全トラックの記録が開始される。この機能は、１つのＥＢＸ１の全てのトラックを同じように制御する場合に非常に有効である。
【００２２】
第２の表示領域１３０には、中央制御部１３１が表示され、この中央制御部１３１は、順再生ボタン１３２、逆再生ボタン１３３、早送りボタン１３４、巻き戻しボタン１３５、停止ボタン１３６、記録ボタン１３７を有する。この中央制御部１３１によって、現在ＲＣＣ２にロードされている全てのトラックを、ＲＣＣ２、すなわち中央から、同時に制御することができる。第２の表示領域１３０には、更に、全てのトラックの現在の時間を表示するタイムボックス１３８と、現在の時間をゼロにリセットするリセットボタン１３９と、リセットされたその時間を復元する復元ボタン１４０と、２つの時間を交互に切り換えるトグルボタン１４１と、現在の時間を素早く調節するためのタイムスクロールバー１４２とが表示される。タイムボックス１３８には、例えば映画テレビ技術者協会（ＳＭＰＴＥ）、ミュージカルインスツルメントデジタルインタフェース（Musical Instrument Digital Interface：ＭＩＤＩ）、又は場面のフレームタイムフォーマット（footage frame time format）等の様々なフォーマットに準拠して時間が表示される。タイムボックス１３８に表示されている時間は、例えばビデオデッキ、映写機等からの外部の時間に同期している。
【００２３】
更に、第２の表示領域１３０には、セーブインタイムボックス１４３と、セーブアウトタイムボックス１４４と、セーブされた時間のプルダウンメニュー１４５と、セーブインボタン１４６と、セーブボースボタン１４７とが表示される。ユーザは、セーブインタイムボックス１４３とセーブアウトタイムボックス１４４に、開始時間と終了時間（すなわちその時間範囲）を入力し、後で検索するために、この開始時間及び停止時間をプルダウンメニュー１４５に保存することができる。ユーザがセーブインボタン１４６を「クリック」、すなわち選択すると、開始時間が保存され、また、セーブボースボタン１４７を「クリック」、すなわち選択すると、開始時間と停止時間の両方が保存される。そして、ユーザは、保存された時間範囲を検索して、その時間範囲内のある特定のトラックに、例えば記録する等の１つ以上の動作を実行することができる。
【００２４】
図５は、本発明に係るトラック制御方法に基づいて、ＲＣＣ２の表示画面に表示されたＧＵＩの他の具体例を示す図である。図５に示すように、ＧＵＩ２００は、第１の表示領域２１０と、第２の表示領域２２０と、第３の表示領域２３０とを有する。第１の表示領域２１０には、ロードされている全ての記録トラックが表示され、それらの記録トラックは制御される。第２の表示領域２２０には、ロードされている全ての再生トラックが表示され、それらの再生トラックは制御される。第３の表示領域２３０には、ロードされている全てのトラックを中央から制御するための中央制御部が表示される。記録トラックと再生トラックとの違いは、再生トラックに対しては、記録動作を実行できないという点である。このように、記録トラックと再生トラックを別々の表示領域に分離して表示することによって、ユーザは、トラックの種類を容易に識別することができる。
【００２５】
図１乃至図４に示すように、順再生ボタン１３２が選択されると、ＧＵＩ１００（すなわち図３の記録／再生アプリケーション３１）は、ＲＰＣ３３により、再生コマンドを、ネットワークチャンネル３を介してロードされた全てのＥＢＸ１１に送信する。各ＥＢＸ１１は、ＲＰＣ４１により、再生コマンドを受信し、その再生コマンドを、デバイスドライバ４３を介してＤＳＰソフトウェア４５に転送する。ＤＳＰソフトウェア４５は、再生コマンドが供給されると、ＳＰＳ１９に全てのトラックを再生させる。プロセッサ１１は、ＳＣＳＩ−２コントローラ２２１がデータをＳＰＳ１９のＤＳＰ上のメモリに及びメモリからロードするように制御する。また、例えば、ＥＢＸ１の正面（操作）パネル４６に、再生中を示す発光ダイオード（以下、ＬＥＤという。）が設けられている場合、このＬＥＤは、ＥＢＸ１のＤＬＬ４２におけるコードによって点灯される。また、例えば、正面パネル４６に（トラックの）記録ボタンが設けられており、その記録ボタンが手動で押されると、ＧＵＩ１００は、そのトラックが記録中であることを示すために、更新される。
【００２６】
以上の説明でも明らかなように、本発明に係るトラック制御方法及び制御装置では、ＥＢＸ１の全てのトラックを、ＲＣＣ２、すなわち中央から及び／又は同時に制御することができる。すなわち、ユーザは、ＧＵＩ１００の第１の表示領域１１０に表示された各種のボタン（アイコン）を用いて、各トラックを独立して制御することができ、また、ＧＵＩ１００の第２の表示領域１３０に表示された各種のアイコンを用いて、全てのトラックが同時に制御することができる。
【００２７】
なお、本発明は、上述した実施例に限定されるものではない。
【００２８】
【発明の効果】
本発明に係るトラック制御方法及び制御装置では、複数のオーディオ処理装置の１つのトラックにそれぞれ対応し、トラックを制御する複数の制御ボックスを有する第１の表示領域を表示部に表示し、複数のオーディオ処理装置の全てのトラックを略同時に制御する中央制御部を有する第２の表示領域を表示部に表示し、複数のオーディオ処理装置のうちの１つのオーディオ処理装置の少なくとも１つの記録トラックをそれぞれ制御する複数の記録制御ボックスを有する第３の表示領域を表示部に表示する。そして、ユーザは、例えばマウスを用いて、第１、第２及び第３の表示領域の各種の制御ボタンを操作して、中央から、且つ同時に複数のオーディオ処理装置のトラックを制御することができる。更に、記録／再生システムにはロードされているが、グラフィカルユーザインタフェースを表示する画面上では見ることができない複数の制御ボックスにアクセスするためのスクロールバーを表示することにより、ユーザは、スクロールバーを用いて、全てのトラックをアクセスすることができる。
【図面の簡単な説明】
【図１】  本発明を適用したオーディオ記録／再生システムの具体的な構成を示すブロック図である。
【図２】  上記オーディオ記録／再生システムのＥＢＸの具体的な構成を示すブロック図である。
【図３】  本発明に係るトラック制御方法を実現するソフトウェアの具体的なアーキテクチャを示すブロック図である。
【図４】  本発明に基づいて表示されたＧＵＩの具体例を示す図である。
【図５】  本発明に基づいて表示されたＧＵＩの他の具体例を示す図である。
【符号の説明】
１  ＥＢＸ、２  ＲＣＣ、３  ネットワークチャンネル、４  ＡＥＳＩ／０チャンネル
【図１】
0003999375.tif 000002
【図２】
0003999375.tif 000003
【図３】
0003999375.tif 000004
【図４】
0003999375.tif 000005
【図５】
0003999375.tif 000006